(57)【要約】      （修正有）【課題】家庭用の氷削り器において、氷かきしながら氷ボックスの中で回動する絵模様を外から眺め、子供が楽しめる玩具的要素の有る氷削り器を提供する。【解決手段】氷削り器本体１の氷ボックス２の底面２ａに切削刃３を臨ませたスリットを設け、氷ボックス２に、圧縮コイルバネと氷押さえ軸からなる氷押さえ６を収納し、これらの氷押さえ軸の一端が、氷ボックス２の開口部２ｃを封印する蓋７の頂部からのぞかせて、これらの氷押さえ軸にハンドル８を一体化し、ハンドル８の回転で氷塊を削る本体１は、対でなるスタンドに載置され、これらが台座に係合してなる氷削り器において、一層構造にした氷ボックス２の内周２ｃに氷押さえ６と共に回動する絵模様９付き回転体１０を内設し、絵模様９を外部から見えるように氷ボックス２を透明にするか、或いはその氷ボックス２に絵模様９ａを付けた氷削り器にする。【選択図】図１
0003137331.tif 000002
【実用新案登録請求の範囲】
【請求項１】
氷削り器本体１の氷ボックス２の底面２ａに切削刃３を臨ませたスリット２ｂを設け、該氷ボックス２に、圧縮コイルバネ４と氷押さえ軸５からなる氷押さえ６を収納し、これらの氷押さえ軸５の一端が、氷ボックス２の開口部２ｃを封印する蓋７の頂部からのぞかせて、これらの氷押さえ軸５にハンドル８を一体化し、ハンドル８の回転で氷塊Ａを削る本体１は、対でなるスタンドＢに載置され、これらが台座Ｄに係合してなる氷削り器において、一層構造にした氷ボックス２の内周２ｄに沿うって氷押さえ６と共に回動する絵模様９付き回転体１０を設け、該絵模様９を外部から見えるように氷ボックス２を透明にするか、或いはその氷ボックス２に絵模様９ａを施したことを特徴とする氷削り器。
【請求項２】
上記する絵模様９を示温インクで印刷し所定の低温度域に達して、絵模様９が消色から発色可能な絵模様９０の出る構成にしたことを特徴とする請求項１記載の氷削り器。
【請求項３】
上記する絵模様９付きの回転体１０を透明体の有底１１ａの収納スペース１１ｂを持つ回転容器１１にし、氷押さえ６と共に回動可能にしたことを特徴とする請求項１記載の氷削り器。
【請求項４】
上記する回転体１０を取り除く事で氷ボックス２に収納した氷塊Ａの削り具合を外部から見えるようにしたことを特徴とする請求項１記載の氷削り器。
【請求項５】
上記する台座Ｄに係合し本体１を載置して固着してなるスタンドＢにカバーＣ付きでなる収納部ＢＢを設けたことを特徴とする請求項１、２、３または４項記載の氷削り器。
【考案の詳細な説明】
【技術分野】
【０００１】  この考案は一般家庭で使う氷削り器に関し、更に詳しくは筒状の氷削り器の本体を透明体にし、筒状内で絵模様付きの回転体を氷を削るのに使うハンドルの回動と共に回動させて、氷を削りながら、動く絵模様を眺めて楽しむることの出来る玩具的な機構を付加した氷削り器に関する。
【背景技術】
【０００２】  この種の従来の技術として、（特開２０００−１１１２２３号）が最も近い技術として開示されるが、これらは円形台座に一体化する筒状の蓋付きでの本体を設け、其のサイド側面にはハンドルを付けて回動する円板状の駆動輪が駆動部傘歯車を合体し配置され、これらの本体の内部に構成する筒体状の有底に切削刃と其の底面の中央に直立するボス部とでなる容器部には、このボス部に差し込まれ、前記する駆動部傘歯車の水平座標で回動するハンドル回動を、垂直座標で噛み合い回動する従動歯車を開口部に設けてなる氷を入れるホッパー部が容器部に収納されて、これらがハンドルの回動と連係して回動することでホッパー部に投入された氷の塊が切削刃面に押し圧落下し、折削刃で削られる構成である。【０００３】  そしてこれらのサイド回し構成での氷削り器は、更にこのハンドルの主軸に小歯車を一体化し、容器部の外周に近接して設けた大歯車付きリング状の回転体の外周に絵模様を施し、其の回転体のリング状開口縁面に切り込まれた大歯車と前記するハンドルの主軸に一体化する小歯車とが減速噛み合って、氷削り操作に同じて絵模様付きのリング状の回転体がくるくる回り、透明体で構成する本体の外部から動く絵模様を眺め、氷削りながら楽しむ事の出来る構成としている。
【考案の開示】
【考案が解決しようとする課題】
【０００４】  しかしながら上記する従来技術の場合は、回動する絵模様が本体のハンドルの配置される側面方向からは、円板状の駆動輪に絵模様が隠れてしまい、本体の全周のどの位置からも眺めることが出来ず、およそ全周の三分の一方向から絵模様が見えない等の課題がある。【０００５】  またハンドルの回転スピードを減速させて絵模様の施されたリング状の回転体がのろのろと回転する為、絵模様のアクションに変化が乏しく、動画に面白みがない等の課題が残る【０００６】  またハンドルの回転を絵模様の施した回転体に連動させるに、双方の回転軸を直角に変換しての歯車配置のため歯車噛み合いに誤差が出易く、噛み合い外れやキシミ等のトラブルが出易いばかりか全体構成の部品数が多く、即ち円形台板、円弧壁、氷器本体、容器部、蓋、駆動部傘歯車と小歯車付駆動輪、ハンドル、歯車カバー、大歯車付回転体、従動傘歯車付ホッパ、キャップ等の主要部品１１点構成でコストの面で不利である等の課題が残る。
【課題を解決するための手段】
【０００７】  この考案はかかる課題を解決する為に、請求項１での考案は、図１で述べる様に氷削り器本体１の氷ボックス２の底面２ａに折削刃３を臨ませたスリット２ｂを設け，該氷ボックス２に、圧縮コイルバネ４と氷押さえ軸５からなる氷押さえ６を収納し、これらの氷押さえ軸５の一端が氷ボックス２の氷入れの為の開口部２を開閉自在に封印する蓋７の頂部からのぞかせて、これらの氷押さえ軸５のにハンドル８を一体化し、ハンドル８の回転で氷塊Ａを削る本体Ａは、対でなるスタンドＢに載置され、これらが台座Ｄに係合してなる氷削り器において、氷ボックス２を一層構造にし、其の内周２ｄに沿うって氷押さえ６と共に回動する絵模様９付き筒状の回転体１０を設け、該絵模様９を外部から見えるように氷ボックス２を透明にするか、或いは図２で述べる様に、その透明の氷ボックス２にも絵模様９ａを施した構成とする。【０００８】  次ぎに請求項２での考案は前記する請求項１での図１を兼用して述べるに、回転体１０の外周に施す絵模様９の印刷インクを示温インクにするもので、回転体１０に投入した氷塊Ａが冷たいことで、これらの低温が回転体１０に伝導して、外周に施されたインクが所定の低い温度に達した時点に、これまで消色の回転体１０の外周に絵模様９が発色可能な絵模様９０を施した回転体１０とし、これらを透明材質でなる氷ボックス２の外部から見える様に構成したもので、回転体の温度が常温に戻って再び消色絵模様９０の回転体１０となる構成とする。【０００９】  次ぎに請求項３での考案は図３で述べるに、上記する絵模様９を施した回転体１０を透明体の有底１１ａで収納スペース１１ｂを持つ回転容器１１にし、氷押さえ６と共に回転可能な構成とする。【００１０】  次ぎに請求項４での考案を図４で述べるに、上記する回転体１を取り除くことで氷ボックス２に収納した氷塊Ａの削り具合を外部から見えるようにした構成とする。【００１１】  次ぎに請求項５での考案を図５で述べるに、上記する台座Ｄに係合し本体を載置してなるスタンドＢにカバーＣ付きでなる収納部ＢＢを設けた構成とする。
【考案の効果】
【００１２】  この考案は上述の通り構成、作用するので次ぎの優れた効果を奏する。即ち請求項１での効果は、氷削り操作のハンドルを本体の頂部に配置したシンプルな氷削り器で、部品構成も氷ボックス、台座、スタンド、回転体、蓋、氷押さえ、ハンドル等の少ないパーツからなる構成の為、低コストで軽量、コンパクトな回転絵模様付の氷削り器が出来、ハンドルが本体の側面にない為、どの方向からも回転する絵模様を眺めて楽しめる構造で、且つ透明でのボックス外周に絵模様を施す事で、回転体の動く絵模様とボックスの絵模様を組み合わせることで、アクションのある動画を楽しめる氷削り器を提供することが出来る。【００１３】  そしてまた請求項２での効果は、回転体の絵模様が氷を削る時のみ氷ボックスに浮き出る玩具的な子供好みの効果があり、又請求項３での効果は、回転体を透明な回転容器にする事で、其の中に移動する液体や物体を封印して入れることで、回転によって次々に変則的な動きを楽しめる効果があり、又請求項４での効果は、ボックスの中に入れた氷の削り具合の動きを外部から観察が出来る面白い効果があり、又請求項５での効果は、氷削り器のスタンドに収納部を付加し、関連用品等を出し入れの出来る効果が有り、又本考案での回転体の回転速度はハンドルの回転速度に整合してハンドル一回転で回転体一回転でなる一対一の変速を具現する氷削り器を提供出来る。
【考案を実施するための最良の形態】
【００１４】  以下に図示の実施例に基づいて本考案を更に詳細に説明する。図１は本考案での第一実施例に基づく一部断面の全体斜視図で、手動式氷削り器本体１は、削り出す氷塊Ａを投入する底面２ａ付の一枚の薄板状の筒体でなる氷ボックス２は透明材の樹脂成形加工で、外部から内部が透き通って良く見える構成で、その底面２ａには切削刃３を臨ませたスリット２ｂを設け、これらの氷ボックス２には圧縮コイルバネ４に差し込まれた先端に氷押さえ６が固定した氷押さえ軸５が回動自在に収納されて、氷ボックス２の開口部２ｃを封印し着脱自在のこの蓋７の頂部に氷押さえ軸５をのぞかせて、これらの端子に回動自在のハンドル８を一体化して蓋７に接合してなり、これらの本体１は、その底面に位置して対でなるスタンドＢに載置され、これらが台座Ｄに係合した氷削り器で有って、これらの本体１で内部が透き通って良く見える氷ボックス２が、其の内周２ｄに沿って薄板状の筒体の回転体１０が差し込まれ、氷押さえ６と共に連係部を介して回動する構成で、そしてこれらの回転体１０の外周には絵模様９が施され、これらの中には回動する氷押さえ６と氷ボックス２の底面２ａとの間で、氷押さえ６の持つ圧縮コイルバネ４の押し圧を受け、ロック状態に収納された氷塊Ａが、ハンドル８の回動と連係回動によって、切削刃３で削り取られると同時に、その回動と共に回転体１０に施された絵模様がくるくると回動して、外部から其の動きが良く見える構成である。【００１５】  そして上記する氷押さえ６の回動と共に筒体の回転体１０は、連係部を介し回動するが、本実施例での連結部は最適な構成として、回転体１０は氷ボックス２の底面２ａと蓋７の裏面の間で回動自在に配置され、回転体１０内面には上下方向に少なくとも一本のミゾ１０ａが切られ、これらのミゾ１０ａにほどよく噛み合う氷押さえ６の外周側面の一部に飛び出したツメ部６ａが係合して双方が連係され、氷押さえ６は回転体１０を共に回転させながら上下に移動を自在にする構成とするが、連結部の形態は特定するもので無く、双方が共に回動しながら氷押さえ６が上下方向に移動の出来る連結部であれば良い。【００１６】  そして又本考案での第一実施例の他の例として、図２は一部断面での要部斜視図で、上記する内部が透き通って良く見える氷ボックス２に絵模様９ａを施し、回転体１０の絵模様９との双方を組み合わせ、回転体１０の絵模様９は氷押さえ６と共に回動し、透明で内部が良く見える氷ボックスに施した絵模様９ａとが、コンビメーションでの構成とし動きに変化を与え面白くしている。【００１７】  次ぎに本考案での第二実施例は前記第一実施例での図１を兼用して説明するに、上記する回転体１０に施す絵模様９の印刷用のインクを示温インクにした絵模様９０にし、所定の低温度域に達して、始めて絵模様９０が消色から発色に浮き出る構成とし、其の回転体１０に投入した氷塊Ａの冷たい温度を示温インクが感知し絵模様９０が発色し、氷削りが終った時点で回転体１が常温域に達し、絵模様９０が消色する構成とする。【００１８】  次ぎ図３は本考案での第三実施例に基づく一部断面での要部斜視図で、上記する回転体１０を取り除き、其れに変わる透明体の筒体で有底１１ａ付きの、全周��わたって密閉蓋付きで成る収納スペース１１ｂを持つ回転容器１１を回動自在に設置し、氷押さえ６と共に回動する構成とし、これらの収納スペース１１ｂには流動する液体や、物体等を封印するなどして、氷かきしながら収納スペース１１ｂの中の動きを外から眺め、楽しむ事の出来る玩具的要素を加味しての構成としている。【００１９】  次ぎに図４は本考案での第四実施例に基づく要部での斜視図で、単純に透明体での氷ボックス２での本体１にし、氷ボックス２に内設した回転体１０を取り除くことで、氷かきの時に外から氷ボックス２に投入された氷塊Ａの削れる変化を眺め、楽しむ事の出来る構成にしている。【００２０】  次ぎに図５は本考案での第五実施例に基づく一部断面での全体斜視図で、上記する対で成るスタンドＢにカバーＣ付きでなる収納部ＢＢを一体化したもので、スタンドＢ自体を収納ケースにする事で、取り扱い説明書や、レシピ−や、身近な小物を収納出来る実用機能を付加した構成にしたもので、外から出し入れできる収納部ＢＢのカバーＣは開閉する扉スタイル等でも良く、又其のカバーＣは取り外しの出来るスタイルでも良い。
【図面の簡単な説明】
【００２１】
【図１】    本考案に係わる第一実施例と第二実施例を示しての一部断面での全体斜視図である。
【図２】    本考案に係わる第一実施例での他の例を示す一部断面での要部斜視図である。
【図３】    本考案に係わる第三実施例を示しての一部断面での要部斜視図である。
【図４】    本考案に係わる第四実施例を示しての要部斜視図である。
【図５】    本考案に係わる第五実施例を示しての一部断面での全体斜視図である。
【符合の説明】
Ａ      氷塊
Ｂ      スタンド
ＢＢ    収納部
Ｃ      カバー
Ｄ      台座
１      本体
２      氷ボックス
２ａ    底面
２ｂ    スリット
２ｃ    開口部
２ｄ    内周
３      切削刃
４      圧縮コイルバネ
５      氷押さえ軸
６      氷押さえ
７      蓋
８      ハンドル
９、９ａ，９０  絵模様
１０      回転体
１０ａ    ミゾ
１１      回転容器
１１ａ    有底
１１ｂ    収納スペース
【図１】
0003137331.tif 000003
【図２】
0003137331.tif 000004
【図３】
0003137331.tif 000005
【図４】
0003137331.tif 000006
【図５】
0003137331.tif 000007